(57)【要約】【課題】汎用性が高く、容易に設置可能な照明器具を提供する。【解決手段】本体ユニット１０と、本体ユニット１０に取り付けられるカバー部材２０と、本体ユニット１０とカバー部材２０との間に配置される点灯装置２６、発光ユニット２７と、点灯装置２６、発光ユニット２７から発せられる光の明るさを調整する調光装置に直接接続される信号線１１と、信号線１１の端部に設けられ、本体ユニット１０から独立して配置される信号接続部１６と、点灯装置２６、発光ユニット２７に接続される信号線２３と、信号線２３の端部に設けられ、信号接続部１６と接続される信号端子台２２と、を備えるようにする。【選択図】図４
2015141770.tif 000002
【特許請求の範囲】
【請求項１】
本体ユニットと、
前記本体ユニットに取り付けられるカバー部材と、
前記本体ユニットと前記カバー部材との間に配置される発光装置と、
前記発光装置から発せられる光の明るさを調整する調光装置に直接接続される第一信号線と、
前記第一信号線の端部に設けられ、前記本体ユニットから独立して配置される第一信号接続部と、
前記発光装置に接続される第二信号線と、
前記第二信号線の端部に設けられ、前記第一信号接続部と接続される第二信号接続部と、を備えることを特徴とする、照明器具。
【請求項２】
前記第一接続部又は前記第二接続部は信号端子台であることを特徴とする、請求項１に記載の照明器具。
【請求項３】
前記第一接続部及び前記第二接続部は、前記本体ユニットと前記カバー部材との間に形成される空間内において、前記本体ユニット及び前記カバー部材に対して不支持状態で配置されていることを特徴とする、請求項１又は２に記載の照明器具。
【請求項４】
前記発光装置と前記第二信号接続部との間に信号端子台が設けられ、
前記信号端子台は前記カバー部材に固定されていることを特徴とする、請求項１に記載の照明器具。
【発明の詳細な説明】
【技術分野】
【０００１】
本発明は、照明器具に関する。
【背景技術】
【０００２】
蛍光灯やＬＥＤ照明、有機ＥＬ照明等の照明器具には、照明の明るさを調整する調光装置が備えられていることがある。調光装置は例えば壁面等に配置され、調光装置と点灯装置とが信号線により接続されている。使用者が調光装置を操作することで、調光装置からの信号（明るさを制御するための電気信号）が信号線を通じて点灯装置に伝達される。そして、点灯装置は、受け取った信号に基づいて、照明の明るさを調整するようになっている。
【０００３】
このような照明器具に関連して、特許文献１に記載の技術が知られている。特許文献１には、照明器具Ｓは、前面が開口する箱状の器具本体２と、器具本体２の開口部分に着脱自在に取り付けられる枠体６と、発光面を前面側に向けた状態で器具本体２に収納されるＬＥＤユニット１と、枠体６に取り付けられ、ＬＥＤユニット１から照射される光を前面側に透過させるパネル７とを備える照明器具が記載されている。
【先行技術文献】
【特許文献】
【０００４】
【特許文献１】特開２０１３−１７８９４９号公報
【発明の概要】
【発明が解決しようとする課題】
【０００５】
特許文献１に記載の技術においては、信号線の途中には信号端子台が設けられている。そして、信号端子台は、器具本体（照明器具の本体ユニット）に固定されている。即ち、照明器具が天井等に取り付けられて固定されれば、信号端子台も、照明器具とともに天井等に固定されることになる。
【０００６】
しかし、使用者によっては、調光装置による調光機能が不要な場合がある。このような場合には、使用者が使用しないにも関わらず、信号端子台等の調光に関する部材が照明器具に配置されることになる。従って、使用者にとっては、いわば無駄な部材が照明器具の本体に存在していることになる。この点を考慮すると、調光機能付き照明器具用の本体ユニットと、調光機能無し照明器具用の本体ユニットとの二種の本体ユニットを作製しなければならず、本体ユニットの汎用性に欠けることがある。
【０００７】
さらには、点灯装置に接続された信号線を信号端子台に接続する際、信号端子台は本体ユニットに固定されているため、天井近傍等にある信号端子台まで手を伸ばして、信号線を信号端子台に接続しなければならないことがある。そのため、照明器具が取り付けられる場所によっては、使用者が信号線を信号端子台に接続する際に、過度の負担を強いることになる。
【０００８】
本発明はこれらの課題に鑑みて為されたものであり、本発明が解決しようとする課題は、汎用性が高く、容易に設置可能な照明器具を提供することである。
【課題を解決するための手段】
【０００９】
本発明者らは前記課題を解決すべく鋭意検討した結果、従来照明器具の本体に固定されてきた信号端子台を本体ユニットから独立させることで前記課題を解決できることを見出した。
【発明の効果】
【００１０】
本発明によれば、汎用性が高く、容易に設置可能な照明器具を提供することができる。
【図面の簡単な説明】
【００１１】
【図１】第１実施形態の照明器具の外観を示す下方からの斜視図である。
【図２】第１実施形態の照明器具の本体ユニットからカバー部材を取り外すときの様子を示す図であり、（ａ）は使用者がカバー部材を掴んだ状態、（ｂ）は使用者がカバー部材を下方向に引っ張って取り外した状態を示す。
【図３】第１実施形態の照明器具の本体ユニットからカバー部材を取り外した状態を示す図である。
【図４】図３の状態において、本体ユニット１０側の信号線及び電源線と、カバー部材２０側の信号線及び電源線との接続をそれぞれ解除した状態を示す図である。
【図５】（ａ）は図２（ａ）のＡ部拡大図であり、（ｂ）〜（ｆ）は（ａ）の変形例を示す図である。
【図６】第２実施形態の照明器具の本体ユニットからカバー部材を取り外した状態を示す図である。
【図７】図６の状態において、本体ユニット１０側の信号線及び電源線と、カバー部材２０側の信号線及び電源線との接続をそれぞれ解除した状態を示す図である。
【図８】第３実施形態の照明器具の本体ユニットからカバー部材を取り外した状態を示す図である。
【図９】図８の状態において、本体ユニット１０側の信号線及び電源線と、カバー部材２０側の信号線及び電源線との接続をそれぞれ解除した状態を示す図である。
【発明を実施するための形態】
【００１２】
［１．第１実施形態］
以下、図面を参照しながら、本発明を実施するための形態（本実施形態）を説明する。初めに、本実施形態の照明器具の全体構成（内部構成を含む）を説明し、次いで、本実施形態の照明器具に備えられるカバー部材の形状について説明する。
【００１３】
図１は、第１実施形態の照明器具１００の外観を示す下方からの斜視図である。照明器具１００は、天井１５０に取り付けられている。照明器具１００は、金属製の本体ユニット１０と、本体ユニット１０に取り付けられるとともに、円弧形状を有するカバー部材２０（例えば樹脂製）とを備えている。本体ユニット１０の内部（カバー部材２０が取り付けられることで形成される空間、以下同じ）には、外部に放出光を生み出す光源ユニット２７（図３等を参照しながら後記する）等が備えられている。
【００１４】
図２は、第１実施形態の照明器具１００の本体ユニット１０からカバー部材２０を取り外すときの様子を示す図であり、（ａ）は使用者の手Ｈがカバー部材２０を掴んだ状態、（ａ）は使用者の手Ｈがカバー部材２０を下方向に引っ張って取り外した状態を示す。なお、図２（ｂ）に示すＡ部については、図５を参照しながら後記するため、図２の説明では、Ａ部の説明を省略する。また、図２（ｂ）では、図示の簡略化のために、本体ユニット１０の内部に収容されている各部材の図示を省略している。
【００１５】
図２（ａ）に示すように、使用者は、カバー部材２０の側面に設けられている凹み２１を手Ｈによって掴むことで、使用者がカバー部材２０を摘み易くなっている。そして、この状態で、使用者がカバー部材２０を下方向に引っ張ることにより、カバー部材２０が本体ユニット１０から取り外される。これにより、カバー部材２０が本体ユニット１０から分離されるようになっている。なお、カバー部材２０は、カバー部材２０に対して上下方向に延在するガイド部材３１により、本体ユニット１０に取り付けられている。
【００１６】
図３は、第１実施形態の照明器具１００の本体ユニット１０からカバー部材２０を取り外した状態を示す図である。本体ユニット１０には、電源端子台１２が固定されている。また、カバー部材２０の内側には、点灯装置２６と、点灯装置２６に接続された光源ユニット２７とが固定されている。点灯装置２６は光源ユニット２７を制御するものである。具体的には、点灯装置２６は、光源ユニット２７の点灯や消灯、光源ユニット２７から発せられる光の強さ等を制御するようになっている。なお、光源ユニット２７としては、例えばＬＥＤや有機ＥＬ、蛍光管等が適用可能であり、中でも、省エネルギ化の観点から、ＬＥＤが好ましい。
【００１７】
電源端子台１２には、図示しない交流電源と接続される電源線１３が接続されている。さらに、電源端子台１２には、図示しないアース線が接続されている。また、電源端子台１２と点灯装置２６とは、電源端子台１２の側からこの順で、電源線１４、電源コネクタ１５、電源コネクタ２４及び電源線２５を介して接続されている。これにより、交流電源からの電力が点灯装置２６に供給されるようになっている。これにより、電源装置から点灯装置２６に供給された電力は、光源ユニット２７の駆動に用いられるようになっている。
【００１８】
また、点灯装置２６には、信号線を介して、図示しない調光装置が接続されている。具体的には、点灯装置２６と調光装置とは、点灯装置２６の側からこの順で、信号線２３、信号端子台２２、信号接続部１６（図４参照。図３では図示せず。）及び信号線１１を介して接続されている。使用者が調光装置を操作（例えば調光装置を構成するツマミを回転させる等）することで、その操作の程度に応じた電気信号が発生する。そして、発生した電気信号が、信号線１１や信号線２３等を通じて点灯装置２６に伝達されることにより、点灯装置２６が、その電気信号に応じて光源ユニット２７の駆動（明るさ等）を制御するようになっている。
【００１９】
図４は、図３の状態において、本体ユニット１０側の信号線１１及び電源線１４と、カバー部材２０側の信号線２３及び電源線２５との接続をそれぞれ解除した状態を示す図である。例えば、照明器具１００のメンテナンス後、図４の状態にあるとき、カバー部材２０を本体ユニット１０に取り付ける際には、以下の手順が適用可能である。
【００２０】
まず、図４に示すようにカバー部材２０を配置し、信号線１１の端部である信号接続部１６と、信号線２３の端部にある信号端子台２２とが接続されるようにする。これにより、調光装置と点灯装置２６との電気的接続が図られる。さらには、電力線１４の端部である電源コネクタ１５と、電源線２５の端部にある電源コネクタ２４とが接続されるようにする。これにより、交流電源と点灯装置２６との電気的接続が図られる。そして、最後に、図２において説明した手順と逆の点順でカバー部材２０を本体ユニット１０に取り付けることで、照明器具１００の使用準備が整うことになる。
【００２１】
図３及び図４に示すように、第１実施形態の照明器具１００では、信号端子台２２は、本体ユニット１０及びカバー部材２０のいずれにも固定されていない。即ち、信号端子台２２は、本体ユニット１０及びカバー部材２０に対して、不支持状態になっている。これにより、信号端子台２２が本体ユニット１０に固定されていた従来の照明器具（たとえば前記の特許文献１参照）とは異なり、信号端子台２２と信号接続部１６との接続を、本体カバー２０の近傍で行うことができる。従って、天井１５０等の位置に対して低い位置で、信号接続部１６と信号端子台２２との接続や脱着をすることができるようになる。これにより、手許を確認しながら接続や脱着を行うことができるようになり、照明器具１００のメンテナンス等が容易になる。
【００２２】
また、従来、本体ユニット１０に固定していた信号端子台２２を本体ユニット１０から独立（即ち）分離させることで、端子台として、電源端子台１２のみが本体ユニット１０に固定されることになる。使用者が調光機能を不要とする場合でも、図３や図４等に示す本体ユニット１０を流用することができる。従って、本体ユニット１０の汎用性を高めることができ、様々なカバー部材２０（点灯装置２６や光源ユニット２７等を備える）に対して、単一種の本体ユニット１０を用意すればよいことになる。
【００２３】
さらには、信号端子台２２を本体ユニット１０に固定していた従来の照明器具では、点灯装置２６がカバー部材２０側に設けられていたため、信号端子台２２と点灯装置２６とを接続する信号線の間に、信号コネクタが設けられていた。しかし、第１実施形態の照明器具１００のように、信号端子台２２を本体ユニット１０から分離させて独立のものとすることで、信号端子台２２に信号接続部１６を直接接続すればよくなる。これにより、従来用いられていた信号コネクタを削減することができる。
【００２４】
次に、第１実施形態の照明器具１００を構成するカバー部材２０について説明する。
【００２５】
図５は、（ａ）は図２（ｂ）のＡ部拡大図であり、（ｂ）〜（ｆ）は（ａ）の変形例を示す図である。図５（ａ）に示すように、カバー部材２０の側面には、曲線を含んだ形状である、Ｒ形状の凹み２１が形成されている。凹み２１は、カバー部材２０の外側に張り出す凹み上端部２０ａと、カバー部材２０の同じく外側に張り出す凹み下端部２０ｂとの間に形成されている。
【００２６】
なお、図５では図示していないが、カバー部材２０の左側面にも、同様の凹み２１が設けられている。即ち、カバー部材２０の外表面に形成されている凹み２０は、カバー部材２０に含まれる円弧形状を含み、かつ、光源ユニット２７の光軸に垂直な方向（図５の紙面に垂直な方向）の断面視で、光軸を中心として左右に少なくとも一つの凹みが形成されている。
【００２７】
カバー部材２０の側面をこのような形状にすることで、使用者の手Ｈがカバー部材２０を掴み易くなり（図２参照）、カバー部材２０を本体ユニット１０から取り外し易くなる。即ち、凹み２１（凹み上端部２０ａと凹み下端部２０ｂとの間に形成される）の部分に指を引っ掛けて手Ｈでカバー部材２０を掴み、下方への力を付与することで、凹み２１によって指が滑ることなく、カバー部材２０を取り外すことができる。
【００２８】
また、掴み易さの観点からは、カバー部材２０の側面の形状を、上方に向かって窄まるテーパ形状とすることも考えられる。しかし、上方に向かって窄まるテーパ形状とすると、凹み上端部２０ａが外側に張り出していない形状になり、カバー部材２０の側面に塵埃が堆積し易くなる。しかし、第１実施形態の照明器具１００のように凹み２１が設けられ、カバー部材２０の外側に張り出す凹み上端部２０ａと、同じく外側に張り出す凹み下端部２０ｂが形成されることで、凹み２１には塵埃が堆積しにくくなる。
【００２９】
さらには、カバー部材２０の側面に凹み２１を設けることで、上下方向に鉛直な側面（凹み２１が無い側面）を有するカバー部材２０と比べて、カバー部材２０の表面積を増やすことができる。そして、カバー部材２０の表面積が増えることで、照明器具１００の発光面積が増えることになる。
【００３０】
特に、これによる効果は、光源ユニット２７として、ＬＥＤ等の指向性の高い発光体を用いた場合に大きくなる。具体的には、光源ユニット２７が例えば指向性の高いＬＥＤである場合、カバー部材２０の左右方向には光が向きにくく、カバー部材２０の左右近傍では明るさが不足しがちである。しかし、カバー部材２０の側面に凹み２１を設けることで、カバー部材２０の表面積、即ち照明装置１００の発光面積を増やすことができる。特に、表面積は、カバー部材２０の側面で増えるため、暗くなりがちな左右方向においても、十分な明るさを確保することができる。
【００３１】
また、本実施形態の照明装置１００では、凹み２１の形状はＲ形状になっている。そのため、凹み２１が曲線のみによって構成されるため、使用者に対して柔らかい印象を与え、凹み２１の意匠性が優れる。また、曲線のみによって構成されるため、より均一な光を外部に放出することができる。
【００３２】
本実施形態の照明装置１００では、凹み２１の形状は、前記のようにＲ形状になっている。しかし、凹み２１の形状は図５（ａ）の形状に限られず、例えば図５（ｂ）〜（ｆ）に示す形状としてもよい。
【００３３】
例えば、凹みは、図５（ｂ）に示す、断面くの字形状の凹み２１Ａとしてもよい。このような形状にすることで、凹み２１を構成する斜面の長さを長く確保することができ、掴み易さがより向上する。また、斜面の長さが長くなるためカバー部材２０Ａの表面積がより大きくなり、発光面積がより大きくなる。
【００３４】
また、例えば、凹みは、図５（ｃ）に示す、下端部２０Ｂｂが、上端部２０Ｂａよりも、カバー部材２０Ｂの外側に張り出した凹み２１Ｂとしてもよい。このような形状にすることで、使用者によってカバー部材２０Ｂが掴まれたとき、下端部２０Ｂｂに指が引っかかり易い。そのため、使用者がカバー部材２０Ｂをより容易に取り外し易くなる。また、図５（ａ）に示すカバー部材２０と同様に、断面が円弧状になっているため、塵埃がより堆積しにくい。
【００３５】
さらに、例えば、凹みは、図５（ｄ）に示す、台形の上底のような断面の凹み２１Ｃとしてもよい。このような形状にすることで、図５（ｂ）と同様に、発光面積をより大きくすることができ、また、掴み易くすることができる。
【００３６】
また、例えば、凹みは、図５（ｅ）に示す、図５（ｄ）で説明した台形の面取りをしたような形状の凹み２１Ｄとしてもよい。このような形状にすることで、図５（ａ）に示すカバー部材２０と同様に、より均一な光を外部に放出することができる。また、図５（ｃ）と同様に、塵埃がより堆積しにくい。
【００３７】
さらに、例えば、凹みは、図５（ｆ）に示す、図５（ｃ）で説明した凹み２１Ｂとは逆に、上端部２０Ｅａが、下端部２０Ｅｂよりも、カバー部材２０Ｅの外側に張り出した凹み２１Ｅとしてもよい。このような形状にすることで、上端部２０Ｅａがより外側に張り出し、しかも、断面が円弧状になっているため、凹み２１Ｅへの塵埃の堆積がより確実に防止される。
【００３８】
これらのうち、カバー部材２０に含まれる円弧形状を含み、かつ、光源ユニット２７の光軸に垂直な方向（図５の紙面に垂直な方向）の断面視で、凹み上端部（図５（ａ）の場合、凹み上端部２０ａ）と凹み下端部（同図の場合、凹み下端部２０ｂ）とを結ぶ線分は、光源ユニット２７（図５では図示していない）の光軸と平行になっているものが好ましい。ここで、光軸とは、光源ユニット２７から発せられる光の軸のことをいい、図５では、ガイド部材３１が延在する方向と同方向に伸びている。図５に示すカバー部材のうち、好ましいものの具体例としては、図５（ａ）に示されるカバー部材２０や、図５（ｂ）に示されるカバー部材２０Ａ、図５（ｄ）に示されるカバー部材２０Ｃ、図５（ｅ）に示されるカバー部材２０ｅである。これにより、使用者によるカバー部材２０等の持ち易さと、カバー部材２０等への塵埃の堆積のしにくさとをバランスよく両立させることができる。
【００３９】
［２．第２実施形態］
次に、図６及び図７を参照しながら、第２実施形態の照明器具２００を説明する。前記した照明器具１００と同様のものについては同様の符号を付すものとし、その詳細な説明は省略する。また、第２実施形態の照明器具２００は、基本的には前記の照明器具１００と同様の構成を有するため、以下の記載では、前記の照明器具１００とは異なる点を主に説明する。
【００４０】
図６は、第２実施形態の照明器具２００の本体ユニット１０Ａからカバー部材２０Ｆを取り外した状態を示す図である。前記の照明器具１００では、信号接続部１６が、本体ユニット１０及びカバー部材２０から独立した信号端子台２２に接続されるようにした。しかし、第２実施形態の照明器具２００では、カバー部材２０Ｆに信号端子台２２に固定されているとともに、信号コネクタ１７，２８により、信号線１１と信号線２９とが接続されるようになっている。
【００４１】
即ち、第２実施形態の照明器具２００では、信号線１１の末端に信号コネクタ１７が接続されている。さらに、信号端子台２２には、信号コネクタ２８を接続した信号線２９が接続されている。ここで、信号端子台２２は、前記のように、カバー部材２２が固定されている。そして、信号コネクタ１７と信号コネクタ２８とが接続されることで、図示しない調光装置からの電気信号が、信号端子台２２を介して、点灯装置２６に伝達されるようになっている。
【００４２】
図７は、図６の状態において、本体ユニット１０Ａ側の信号線１１及び電源線１４と、カバー部材２０Ｆ側の信号線２９及び電源線２５との接続をそれぞれ解除した状態を示す図である。簡略化のために説明を省略するが、例えば、照明器具２００のメンテナンス後、図７の状態にあるとき、カバー部材２０Ｆを本体ユニット１０Ａに取り付ける際には、図４を参照しながら説明した手順と同様の手順が適用可能である。
【００４３】
照明器具２００では、前記の照明器具１００とは異なり、信号端子台２２がカバー部材２０Ｆに固定されている。従って、調光装置と点灯装置２６とを接続するためには、信号コネクタ１７と信号コネクタ２８とを接続するだけでよく、容易に電気的接続を図ることができる。また、この接続は、前記の照明器具１００と同様に、本体カバー２０Ｆの近傍で行うことができるため、照明器具２００のメンテナンス等が容易になる。
【００４４】
また、信号端子台２２がカバー部材２０Ｆに固定されているため、信号端子台２２に信号線２９を接続する場合に、信号端子台２２の接続口を視認し易くなる。これにより、信号線２９を信号端子台２２に接続するときの作業性が向上する。さらには、前記の照明器具１００と同様に、照明器具２００でも信号端子台２２が本体ユニット１０Ａから独立しており、これにより、本体ユニット１０Ａの汎用性を高めることができる。
【００４５】
［３．第３実施形態］
次に、図８及び図９を参照しながら、第３実施形態の照明器具３００を説明する。前記した照明器具１００，２００と同様のものについては同様の符号を付すものとし、その詳細な説明は省略する。また、第３実施形態の照明器具３００は、基本的には前記の照明器具１００，２００と同様の構成を有するため、以下の記載では、前記の照明器具１００，２００とは異なる点を主に説明する。
【００４６】
図８は、第３実施形態の照明器具３００の本体ユニット１０Ｂからカバー部材２０Ｇを取り外した状態を示す図である。前記の照明器具１００や照明器具２００では、信号線同士を接続するコネクタや、電源線同士を接続するコネクタは別体になっていた。具体的に説明すると、例えば図３や図４に示す照明器具１００では、信号線１１と信号線２３とを接続するために、信号接続部１６と信号端子台２２とが接続されるようした。また、電源線１４と電源線２５とを接続するために、電源コネクタ１５と電源コネクタ１４とが接続されるようにした。図６や図７に示す照明器具２００でもこの点は同様である。
【００４７】
しかし、第３実施形態の照明器具３００では、本体ユニット１０Ｂ側の信号線１１と電源線１４とが、一つのコネクタ１８に接続されている。一方で、カバー部材２０Ｇ側の信号線２９と電源線２５とが、一つのコネクタ３０に接続されている。従って、コネクタ１８とコネクタ３０とを接続することで、信号線同士の電気的接続と、電源線同士の電気的接続を図ることができる。
【００４８】
図９は、図８の状態において、本体ユニット１０Ｂ側の信号線１１及び電源線１２と、カバー部材２０Ｇ側の信号線２９及び電源線２５との接続をそれぞれ解除した状態を示す図である。例えば照明器具３００のメンテナンス後、図９の状態にあるとき、カバー部材２０Ｇを本体ユニット１０Ｂに取り付ける際、特に容易に信号線や電源線の電気的接続を図ることができる。具体的には、コネクタ１８とコネクタ３０とを接続することで、これらの電気的接続をまとめて行うことができる。また、この接続は、前記の照明器具１００や照明器具２００と同様に、本体カバー２０Ｇの近傍で行うことができるため、照明器具３００のメンテナンス等が容易になる。
【００４９】
また、信号端子台２２がカバー部材２０Ｇに固定されているため、前記の照明器具２００と同様に、信号線２９を信号端子台２２に接続するときの作業性が向上する。さらには、前記の照明器具１００，２００と同様に、照明器具３００でも信号端子台２２が本体ユニット１０Ｂから独立しており、これにより、本体ユニット１０Ｂの汎用性を高めることができる。また、前記の照明器具１００，２００とは異なりコネクタが一つで足りるため、コネクタ数を減らすことができ、照明器具３００の製造原価を削減することができる。
【００５０】
［４．変形例］
以上、３つの実施形態を挙げて本実施形態を説明したが、本実施形態は前記の内容に何ら制限されるものではない。従って、本発明は、前記した各実施形態を適宜組み合わせたり変形したりして、実施することができる。
【００５１】
例えば、第１実施形態においてカバー部材２０の変形例を説明したが、カバー部材２０の変形例は、第２実施形態の照明器具２００や第３実施形態の照明器具３００に対しても同様に適用可能である。
【００５２】
また、例えば、第１実施形態において、調光装置側の信号線１１に信号接続部１６が設けられ、カバー部材２０側の信号線２２に信号端子台２２が設けられるようにしたが、これらは逆でもよい。即ち、調光装置側の信号線１１に信号端子台２２が設けられ、カバー部材２０側の信号線２２に信号接続部１６が設けられるようにしてもよい。
【００５３】
さらに、例えば、第１実施形態において、独立した信号端子台２２に信号接続部１６を接続するようにし、電源コネクタ２４は別体に設けたが、信号端子台２２及びコネクタ２４を一体として設けてもよい。
【００５４】
また、例えば、第２実施形態及び第３実施形態では、信号端子台２２はカバー部材２０Ｆ，２０Ｇに固定されるようにしたが、これらの実施形態においても、第１実施形態と同様に、信号端子台２２を本体ユニット１０Ａ，１０Ｂ及びカバー部材２０Ｆ，２０Ｇから独立（即ち、不支持状態）させてもよい。
【００５５】
さらに、例えば、第一信号接続部としては、図示の信号接続部１６（図４参照）や信号コネクタ１７（図７参照）、コネクタ１８（図９参照）の形態に限られず、点灯装置２６と電気的導通が図られる形態であれば、どのような形態であってもよい。同様に第二信号接続部としては、図示の信号端子台２２（図４参照）や信号コネクタ２８（図７参照）、コネクタ３０（図９参照）の形態に限られず、調光装置と電気的導通が図られる形態であれば、どのような形態であってもよい。
【符号の説明】
【００５６】
１０，１０Ａ，１０Ｂ  本体ユニット
１１  信号線（第一信号線）
１２  電源端子台
１６  信号接続部（第一信号接続部）
１７  信号コネクタ（第一信号接続部）
１８  コネクタ（第一信号接続部）
２０，２０Ａ，２０Ｂ，２０Ｃ，２０Ｄ，２０Ｅ，２０Ｆ，２０Ｇ  カバー部材
２２  信号端子台（第二信号接続部）
２３  信号線（第二信号線）
２６  点灯装置（発光装置）
２７  光源ユニット（発光装置）
２８  信号コネクタ（第二信号接続部）
２９  信号線（第二信号線）
３０  コネクタ（第二信号接続部）
１５０  天井（支持体）
【図１】
2015141770.tif 000003
【図２】
2015141770.tif 000004
【図３】
2015141770.tif 000005
【図４】
2015141770.tif 000006
【図５】
2015141770.tif 000007
【図６】
2015141770.tif 000008
【図７】
2015141770.tif 000009
【図８】
2015141770.tif 000010
【図９】
2015141770.tif 000011
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
本体ユニットと、
前記本体ユニットに取り付けられるカバー部材と、
前記本体ユニットと前記カバー部材との間に配置される発光装置と、
前記発光装置から発せられる光の明るさを調整する調光装置に直接接続される第一信号線と、
前記第一信号線の端部に設けられ、前記本体ユニットから独立して配置される第一信号接続部と、
前記発光装置に接続される第二信号線と、
前記第二信号線の端部に設けられ、前記第一信号接続部と接続される第二信号接続部と、を備え、
前記発光装置と前記第二信号接続部との間に信号端子台が設けられ、
前記信号端子台は前記カバー部材に固定されていることを特徴とする、照明器具。
【請求項２】
本体ユニットと、
前記本体ユニットに取り付けられるカバー部材と、
前記本体ユニットと前記カバー部材との間に配置される発光装置と、
前記発光装置から発せられる光の明るさを調整する調光装置に直接接続される第一信号線と、
前記第一信号線の端部に設けられ、前記本体ユニットから独立して配置される第一信号接続部と、
前記発光装置に接続される第二信号線と、
前記第二信号線の端部に設けられ、前記第一信号接続部と接続される第二信号接続部と、を備え、
前記第一信号接続部又は前記第二信号接続部は信号端子台であり、
前記第一信号接続部及び前記第二信号接続部は、前記本体ユニットと前記カバー部材との間に形成される空間内において、前記本体ユニット及び前記カバー部材に対して不支持状態で配置されていることを特徴とする、照明器具。
【手続補正２】
【補正対象書類名】明細書
【補正対象項目名】０００９
【補正方法】変更
【補正の内容】
【０００９】
本発明者らは前記課題を解決すべく鋭意検討した結果、以下のようにすることで前記課題を解決できることを見出した。
即ち、本発明の要旨は、本体ユニットと、前記本体ユニットに取り付けられるカバー部材と、前記本体ユニットと前記カバー部材との間に配置される発光装置と、前記発光装置から発せられる光の明るさを調整する調光装置に直接接続される第一信号線と、前記第一信号線の端部に設けられ、前記本体ユニットから独立して配置される第一信号接続部と、前記発光装置に接続される第二信号線と、前記第二信号線の端部に設けられ、前記第一信号接続部と接続される第二信号接続部と、を備え、前記発光装置と前記第二信号接続部との間に信号端子台が設けられ、前記信号端子台は前記カバー部材に固定されていることを特徴とする、照明器具に関する。
また、本発明の別の要旨は、本体ユニットと、前記本体ユニットに取り付けられるカバー部材と、前記本体ユニットと前記カバー部材との間に配置される発光装置と、前記発光装置から発せられる光の明るさを調整する調光装置に直接接続される第一信号線と、前記第一信号線の端部に設けられ、前記本体ユニットから独立して配置される第一信号接続部と、前記発光装置に接続される第二信号線と、前記第二信号線の端部に設けられ、前記第一信号接続部と接続される第二信号接続部と、を備え、前記第一信号接続部又は前記第二信号接続部は信号端子台であり、前記第一信号接続部及び前記第二信号接続部は、前記本体ユニットと前記カバー部材との間に形成される空間内において、前記本体ユニット及び前記カバー部材に対して不支持状態で配置されていることを特徴とする、照明器具に関する。